(57)【要約】【課題】  下水や産業排水等の水処理に使用される浸漬平膜モジュールについて、通水路の改善を含めた射出成形による一体化構成を提供すること。【解決手段】  吸引管６を取付けた浸漬平膜モジュール１は、射出成形によって一体化され、モジュール本体２の表裏面には、処理水の通水路５が構成されている。この通水路５は、不織布３及びろ過膜４の対面領域内にあって、周縁通水溝７、通水開口９及び連絡溝１０により構成されている。前記通水開口９は、桟部材８によって区画形成され、この桟部材８は、反りを防止する機能をもっている。【選択図】図１
2010012450.tif 000002
【特許請求の範囲】
【請求項１】
吸引管を取付けた合成樹脂からなるモジュール本体の表裏面には、不織布及びろ過膜が備えられ、その内部では、通水路が形成されるようにした浸漬平膜モジュールにおいて、
前記モジュール本体は、射出成形によって一体化される構成になっており、
前記通水路は、前記不織布及びろ過膜の対面領域内にあって、前記吸引管に連通する周縁通水溝、この周縁通水路の内側で、十文字又はクロスに交差する桟部材によって区画形成される多数の通水開口、これらの周縁通水溝及び各通水開口に対する桟部材の連絡溝によって構成されることを特徴とする浸漬平膜モジュール。
【発明の詳細な説明】
【技術分野】
【０００１】  本発明は、下水や産業排水等の処理に使用される浸漬平膜モジュールに関し、特に、モジュール本体を射出成形によって一体的に構成して通水機能及び洗浄機能を高め得るようにした排水処理技術に関する。
【背景技術】
【０００２】  従来、この種の浸漬平膜ろ過装置は、処理槽内に被処理水が貯留されるもので、この被処理水中には、複数組の浸漬平膜モジュールを並置した浸漬平膜ユニットが浸漬され、これにより得られる処理水は、吸引ポンプにより、吸引管から外部配管を介して系外に排出される。
ところで、前記浸漬平膜モジュールは、例えば特許文献１の図２では、波形状基材の両面には、不織布及びろ過膜を備えた多孔板が添設され、しかもこれらの基材及び多孔板の側部が、膜固定材及び膜接合固定材によって支持されるようになっている。このため、浸漬平膜モジュールのモジュール本体は、構成上の観点から、別部材による構成ではなく、通水路の構成を含めて単純な一体化された構成が要望されている。
【特許文献１】特許第３８１５６４５号公報
【発明の開示】
【発明が解決しようとする課題】
【０００３】  解決しようとする課題は、従来の浸漬平膜モジュールは、別部材構成であることから組立による作業性が悪く、通水路の改善を含めて射出成形で一体化できる構成が求められている。つまり、射出成形による浸漬平膜モジュールは、大型化されても反りが発生せず、しかも通水路の構成に基づく通水機能及び洗浄機能も向上し得ることが課題とされている。
このようなことから、本発明では、上述の点に鑑みなされたもので、これらの問題点を基本的に解消し得ることを目的とし、また通水機能及び洗浄機能の改善を目的としている。
【課題を解決するための手段】
【０００４】  本発明に係る請求項１記載の浸漬平膜モジュールは、吸引管を取付けた合成樹脂からなるモジュール本体の表裏面には、不織布及びろ過膜が備えられ、その内部では、通水路が構成されるようにした浸漬平膜モジュールにおいて、
前記モジュール本体は、射出成形によって一体化される構成になっており、
前記通水路は、前記不織布及びろ過膜の対面領域内にあって、前記吸引管に連通する周縁通水溝、この周縁溝の内側部分で、十文字又はクロスに交差する桟部材によって区画形成される多数の通水開口、及び桟部材に形成され、これらの周縁通水溝及び各通水開口に対する連絡溝によって構成されることを特徴とする。【０００５】  上記構成によれば、前記モジュール本体は、射出成形によって一体化される構成になっているため、部品の組立作業がなくなり省力化されている。
また、前記通水路は、周縁通水溝、各通水開口及び連絡溝から構成されることから、ろ過膜及び不織布からの排水処理が良好に行なわれる。なお、一定期間経過後に行なわれるモジュール本体の洗浄は、吸引管の逆流を利用するためこれも良好に行える。
さらに、モジュール本体は、桟部材を設けることによって、各通水開口の区画形成及び反り防止が図られている。
【発明の効果】
【０００６】  本発明に係る請求項１記載の浸漬平膜モジュールは、射出成形によって一体化され、ろ過膜及び不織布の内部領域に通水路が構成されている。
この結果、部材の組立作業が省力化されるとともに、周縁通水溝、各通水開口及び連絡溝から構成される通水路によって、ろ過膜及び不織布による排水処理が良好に行なわれ、逆流による洗浄機能も良好に行なわれるという利点を有する。
また、本発明に係る請求項１記載の浸漬平膜モジュールは、桟部材が設けられているため、大型化によって生じる反り防止が可能という利点を有する。
【実施例１】
【０００７】  以下、本発明に係る第１実施形態の浸漬平膜モジュールについて、添付図面に基づいて詳細に説明する。図１は、本発明に係る浸漬平膜モジュールを示す一部を切欠した概念的な正面図、図２は、図１中のＡ−Ａ線に沿って得られる一部拡大断面図、図３は、図１中のＢ−Ｂ線に沿って得られる一部拡大断面図である。図４は、モジュール本体における通水路の構成を概念的に示す一部拡大正面図である。
実施例１の浸漬平膜モジュール１は、矩形板状をなすもので、ＡＢＳ、ポリエチレンなどの合成樹脂からなるモジュール本体２の表裏面には、不織布３を介してろ過膜４が備えられるようになっている。この場合、モジュール本体２の外形寸法（横ｍｍ×縦ｍｍ×厚さｍｍ）は、５７０×５５５×６で、不織布３及びろ過膜４の外形寸法（横ｍｍ×縦ｍｍ）は、それぞれ５００×５００、５４０×５３０である。なお、不織布３及びろ過膜４のモジュール本体２への取付けは、適宜の接着、融着方式が採られる。
そして、前記モジュール本体２は、これらの不織布３及びろ過膜４の対面領域内では、図１の切欠部分及び図４で示されるように、処理水の通水路５が構成される。つまり、この通水路５は、モジュール本体２の側部に設けられる吸引管６に連通する周縁通水溝７、この周縁通水溝７の内側で、十文字状に交差する桟部材８によって区画形成される通水開口９、及び前記桟部材８に形成され、これらの周縁通水溝７及び各通水開口９に対する連絡溝１０から構成されるようになっている。この場合、吸引管６は、均一排水の配慮から、モジュール本体２の両側部に設けられており、取付け穴１１及び周縁通水溝７の交差部分の貫通穴１２を介して通水路５に連通している。
なお、前記桟部材８は、射出成形時の反りを防止する機能を有しており、その幅は、成形時の金型内への充填に伴う温度差等から４ｍｍ以上が好ましく、本実施例では、４ｍｍ幅で、通水開口９を２５ｍｍ×２５ｍｍの正方形で、縦横１６個形成されるようにした。
また、モジュール本体２の側部には、吊下げ用穴１３及び並置されたときの浸漬平膜ユニットを構成するときのユニット用穴１４ａ、１４ｂが設けられている。この場合、取り付け穴１４ｂ側にある凹溝１５は、前述した桟部材８と同様に、射出成形で生じる温度差等による反りを防止する。
このようにして形成されたモジュール本体２は、複数組が並置されることによって浸漬平膜ユニット（図示せず）が構成され、処理槽内では、前記不織布３及びろ過膜４を介して排水処理が行なわれる。
そして、前記通水路５は、前述したように、通水開口９、連絡溝１０及び周縁通水溝７から構成されているため通水機能が十分に高められる。また、一定期間使用後の洗浄も、逆流を利用するため有効に機能する。
【実施例２】
【０００８】  次に、本発明に係る第２実施形態の浸漬平膜モジュールを例示した実施例２について説明するが、前述した実施例１と同様な構成部品には、同一符号を付して説明を省略または簡略化する。図５は、本発明の実施例２に係る浸漬平膜モジュールを概念的に示したモジュール本体２の一部正面図である。
実施例２の浸漬平膜モジュール１において、実施例１と異なるのは、各通水開口９が、桟部材８の形状及び交差関係によって形状が異なることにある。
つまり、第２実施形態を示す図５では、通水開口９は、桟部材８がクロス状に交差し、周縁部の３角形を除いて菱形を呈している。このような構成は、桟部材８の存在により、射出成形で収縮時における温度差による反りを防止する配慮である。
【実施例３】
【０００９】  また、本発明に係る第３実施形態の浸漬平膜モジュールを例示した実施例３について説明するが、前述した実施例１及び実施例２と同様な構成部品には、同一符号を付して説明を省略または簡略化する。図６は、本発明の実施例３に係る浸漬平膜モジュールを概念的に示したモジュール本体２の一部正面図である。
実施例３の浸漬平膜モジュール１において、通水開口８は、桟部材７が実施例１と同様に十文字状に交差しているが、その形状は円形を呈しているものである。
なお、本発明に適用される平膜浸漬モジュール１は、射出成形によって一体化され、桟部材によって、周縁通水路、通水開口及び連絡溝からなる通巣路が構成されていれば、各部材の個数、形状、材質などは、特に限定されるものではない。
【図面の簡単な説明】
【００１０】
【図１】  本発明の第１実施形態に係る平膜浸漬モジュールを示す一部を切欠した概念的な正面図である。
【図２】  図１中のＡ−Ａ線に沿って得られる一部拡大断面図である。
【図３】  図１中のＢ−Ｂ線に沿って得られる一部拡大断面図である。
【図４】  平膜浸漬モジュールに備えられる通水路の構成を概念的に示す一部拡大正面図である。
【図５】  本発明の第２実施形態に係る平膜浸漬モジュールを概念的に示すモジュール本体の一部正面図である。
【図６】  本発明の第３実施形態に係る平膜浸漬モジュールを概念的に示すモジュール本体の一部正面図である。
【符号の説明】
【００１１】  １  浸漬平膜モジュール
２  モジュール本体
３  不織布
４  ろ過膜
５  通水路
６  吸引管
７  周縁通水溝
８  桟部材
９  通水開口
１０  連絡溝
１１  取付け穴
１２  貫通穴
１３  吊り下げ用穴
１４ａ，１４ｂ  ユニット用穴
１５  凹み溝
【図１】
2010012450.tif 000003
【図２】
2010012450.tif 000004
【図３】
2010012450.tif 000005
【図４】
2010012450.tif 000006
【図５】
2010012450.tif 000007
【図６】
2010012450.tif 000008